(57)【要約】      （修正有）【課題】爽快な着用感を有する女性用下着衣料を提供しようとする。【解決手段】肌に接して着用される衣料であり、股部構造または乳房覆い構造を有し、クロッチ部４あるいは乳房覆い部の少なくとも一部が、麻または笹を混漉した和紙からなる糸を用いてなるカバーファクターが１０〜３０の編物またはカバーファクターが４００〜１４００の織物から構成され、該編物または該織物の片面の少なくとも一部が肌側に露出された衣料２である。前記織物は多重織物であり得る。【選択図】図１
2011231411.tif 000002
【特許請求の範囲】
【請求項１】
肌に接して着用される衣料であり、股部構造または乳房蔽い構造を有し、クロッチ部または乳房蔽い部の少なくとも一部が、麻または笹を含む和紙からなる糸を少なくとも一部に用いてなる、カバーファクターが１０〜３０の編物またはカバーファクターが４００〜１４００の織物から選択される布帛から構成され、該布帛の片面の少なくとも一部が肌側に露出された衣料。
【請求項２】
前記布帛が前記織物からなる請求項１に記載の衣料。
【請求項３】
前記織物が多重織物である請求項２に記載の衣料。
【発明の詳細な説明】
【技術分野】
【０００１】
本発明は、下着のように肌に接して着用され、股部構造または乳房蔽い構造を有する女性用衣料に関し、とくにはショーツやブラジャーのような女性用下着に関する。
【背景技術】
【０００２】
ショーツのような股部構造を有する女性用下着では、クロッチが着用者の肌に直接に触れる。そこで、クロッチの肌側には、例えばコットンのような肌触りや吸湿性の優れた素材の布地が当て布（裏マチ）として縫着されている（例えば、特許文献１参照）。
【０００３】
このような女性用下着では、クロッチ部の当て布（裏マチ）に着用者の外陰部が直接に触れるため、着用すると種々の汚れが付着しやすく、かゆみや湿疹や臭いや不快感の原因になりやすい。
【０００４】
このため、笹の抗菌、消臭効果（例えば、特許文献２、３、４参照）を利用して、笹の抽出成分を当て布に付着させることが考えられるが、このようにして得られたショーツのような股部構造を有する女性用下着では、満足のいく爽快感が得られない。
【特許文献１】特開２００５−１４６４７１号公報
【特許文献２】特開２００６−３６７３１号公報
【特許文献３】特開平１０−３１０９９２号公報
【特許文献４】特開２００５−１６０８９１号公報
【発明の開示】
【発明が解決しようとする課題】
【０００５】
本発明は、爽快な着用感を有する女性用下着衣料を提供しようとする。
【課題を解決するための手段】
【０００６】
本発明の要旨とするところは、肌に接して着用される衣料であり、股部構造または乳房蔽い構造を有し、クロッチ部または乳房蔽い部の少なくとも一部が、麻または笹を含む和紙からなる糸を少なくとも一部に用いてなる、カバーファクターが１０〜３０の編物またはカバーファクターが４００〜１４００の織物から選択される布帛から構成され、該布帛の片面の少なくとも一部が肌側に露出された衣料であることにある。
【０００７】
前記布帛は前記織物からなり得る。
【０００８】
前記織物は多重織物であり得る。
【発明の効果】
【０００９】
本発明によると、爽快な着用感を有する女性用下着衣料が提供される。
【００１０】
本発明によると、爽快な着用感が洗濯によっても失われない女性用下着衣料が提供される。
【発明を実施するための最良の形態】
【００１１】
本発明の衣料の態様をショーツを例として説明する。本発明の衣料（ショーツ）２は肌に接して着用される衣料であり、図１に示すように、股部構造を有し、クロッチ部４を備える。図２はクロッチ部４の断面模式図であり、クロッチ部４は編物または織物からなる布帛８により構成されている。布帛８の図面視上面Ａがクロッチ部の肌側の面であり、着用時に肌に接することとなる。符号１０は衣料（ショーツ）２の穿き口の開口縁に相当する部分である。
【００１２】
本発明の衣料は、クロッチ部４を構成する布帛８の片面が内側（肌側）に露出されるとともに布帛８の外側の面も外部に露出される図２に示すような構造を有することが上述の通気性のうえで最も好ましいが、衣料の外観デザイン上の理由などにより図３に示すように、布帛８の外側（肌側と反対のがわ）に通常の布帛からなるおもて布９が設けられていてもよい。なお、布帛８の肌側の面の一部、例えば縁などがデザイン上の理由などで他の布で覆われてもよい。クロッチ部４の内側面の少なくとも７０％以上に布帛８が露出されて肌に直接接するようになされていることが好ましい。
【００１３】
以上ショーツを例に本発明の態様を説明したが、本発明は股部構造または乳房蔽い構造を有する女性用衣料の、クロッチ部または乳房蔽い部に、同様に適用することができる。乳房蔽い部に適用する場合は、乳房蔽い部の本体裏側に肌に面接するように縫合等により布帛８に相当する布帛が装着されることが好ましい。
【００１４】
本発明においては、布帛８は、編物であれ織物であれ、組織中の互いに布帛の面方向に隣りあう糸同士の間に隙間が形成されている。すなわち、通常の編物あるいは織物に比べてカバーファクターが小さい。この理由と効果は後述する。
【００１５】
布帛８は、麻または笹を含む和紙からなる糸を用いて織成または編成されたものである。これにより、布帛８に麻、笹、または笹の抽出成分が含有されていることになる。麻や笹には抗菌や消臭の性能があることが知られている（例えば、特許文献２，３，４および特開平１１−２４１２５３号公報参照）ので、布帛８は、この成分を含有することにより、抗菌や消臭の効果を有することとなる。しかし、布帛８の基材として従来のショーツなどに当て布（裏マチ）として用いられているコットン（布）のような組織が密で通気性に乏しい布を用いた場合は、着用テストでもかゆみ、湿疹、臭いに起因する不快感は解消されず、消臭、抗菌効果による期待されるような爽快感が得られない。また、当て布（裏マチ）として麻または笹を漉き込んだ和紙をそのまま布帛の代用としてコットンのかわりに用いた場合も期待されるような爽快感が得られない。
【００１６】
本発明においては、麻は、苧麻（ラミー）、亜麻（リネン）、マニラ麻、サイザル麻、紅麻（羅布麻）、黄麻を意味する。
【００１７】
本発明においては、笹は、イネ科タケ亜科に属する植物の葉を示す。このイネ科タケ亜科に属する植物のなかにはマダケ属、ナリヒラダケ属、トウチク属、オカメザサ属、ササ属、アズマザサ属、ヤダケ属、メダケ属、カンチク属、ホウライチク属などが含まれ、カンチク、ホウオウチク、モウソウチク、キンメイモウソウチク、キッコウチク、キンメイチク、クロチク、ホテイチク、ヤダケ、ナリヒラダケ、スズコナリヒラ、トウチク、シホウチク、オカメササ、オロシマチク、アズマネザサ、カムロザサ、ミヤコザサ、タンナサザサ、フイリシイヤ、コグマササ、ホンコグマササ、アケボノササ、チゴザサ、ヤクシマザサ、クマザサなどが含まれる。
【００１８】
本願の発明者は、この理由が、この基材の通気性が乏しいために、麻または笹、あるいは笹の抽出成分に、新鮮な空気が着用時に継続的に充分に曝されないので、消臭、抗菌効果が充分に発揮されないことであることに想到し、本発明に至った。
【００１９】
本発明においては、布帛８は上述のように、編物または織物からなり、編組織または織組織内で互いに隣り合う構成糸の間隔が、糸のかさにもよるが構成糸の直径の大略０．２〜１．５倍程度となっている。これにより、構成糸に含有されている麻または笹あるいは笹の抽出成分に新鮮な空気が着用時に継続的に充分に曝されることとなり、麻または笹あるいは笹の抽出成分の消臭、抗菌効果が充分に発揮されて満足すべき爽快感が得られる。さらに布帛８は片面がクロッチ部あるいは乳房蔽い部の肌側の面となっている。これによっても布帛８の、肌に接して最も汚れやすい部分で新鮮な空気が着用時に継続的に充分にその部分に曝されることとなり、消臭、抗菌効果が充分に発揮される。この効果は笹の場合のほうが麻の場合より優る。
【００２０】
布帛８を構成する編物または織物におけるこのような隙間の状態はカバーファクターで表示できる。布帛８を構成する編物または織物のカバーファクターは通常の編物あるいは織物に比べて小さく、編物であれば１０〜３０の範囲であり、織物であれば４００〜１４００の範囲である。これにより、上述のように布帛８の通気性が確保され、また、布帛８の肌との接触面での糸による凹凸が保たれて肌との密着性が小さくなるため、布帛８の構成糸への新鮮な空気の継続的な供給がなされ、麻または笹特有の消臭、抗菌効果が充分に発揮される。
【００２１】
編物のカバーファクターは、編物の被覆率を表したもので、ＪＩＳ Ｌ１０１８ の編目長及びカバーファクターの方法に準じて次の計算式で求める。ただし、本発明においては、布帛８が多層構造の多重織組織あるいは多重編組織のものである場合には、カバーファクターは、最も肌側の層の組織について適用されるものであると定義する。
Ｋ＝√ＮＴ÷ＳＩ
ここで、
Ｋ：カバーファクター
ＮＴ：繊度 （ｄｔｅｘ）
Ｓｌ：編目長（ｃｍ）である。
【００２２】
織物のカバーファクターは下記式により算出される。
ＣＦ＝（ＤＷｐ／１．１）１／２×ＭＷｐ＋（ＤＷｆ／１．１）１／２×ＭＷｆ
ここで、
ＤＷｐ：経糸総繊度（ｄｔｅｘ）
ＭＷｐ：経糸織密度（本／２．５４ｃｍ）
ＤＷｆ：緯糸総繊度（ｄｔｅｘ）
ＭＷｆ：緯糸織密度（本／２．５４ｃｍ）である。
【００２３】
カバーファクターがこの範囲を超えて大きくなると編物または織物の密度が大であることによって布帛８の通気性が損なわれ、また、布帛８の肌との接触面での糸による凹凸が小さくなって、肌との密着性が上がるため、布帛８の構成糸への新鮮な空気の継続的な供給が妨げられ、麻または特有の消臭、抗菌効果の充分な発揮が得られない。
【００２４】
なお、本発明においては、布帛８が多層構造の多重織組織あるいは多重編組織のものである場合には、上述のカバーファクターの範囲は、最も肌側の層の組織について適用される。各層とも上述のカバーファクターの範囲を満たすことがさらに好ましい。
【００２５】
カバーファクターがこの範囲を超えて小さくなると布帛８の形態維持性が損なわれてクロッチ部や乳房蔽い部としての形態が維持しにくくなる。
【００２６】
本発明においては、上述のように、麻または笹を含む和紙からなる糸を少なくとも一部に用いてなる布が用いられるが、あらかじめ通常の衣料用繊維素材使いの糸を用いて編織物を製造したのち、笹の抽出成分をその編織物に付与することによりクロッチ部や乳房蔽い部を構成する布帛８を得た場合は、洗濯により抽出成分が脱落して抗菌や消臭の機能が失われる。麻または笹を含む和紙からなる糸を少なくとも一部に用いてなる布を用いた場合は、繰り返しの洗濯によっても抗菌や消臭の機能を維持できることがわかった。
【００２７】
すなわち、本発明においては、麻または笹を含む和紙からなる糸を用いて編織物を作り、この編織物を布帛８として用いる。このような編織物からなる布帛８をクロッチ部や乳房蔽い部に用いた本発明の衣料は、麻または笹成分の洗濯による脱落は殆どなく。繰り返しの洗濯後も効果を維持できる。
【００２８】
さらに、通常のスパン糸やフィラメント糸は０．１ｄｔｅｘオーダー程の細さの繊維を用いることは製造が難しいばかりでなく、得られたとしても糸は腰がなくかさも乏しい。とくに、吸湿性に優れた天然のセルロース繊維からなる極細繊維からなるスパン糸やフィラメント糸はその製造自体が難しい。これに対して麻または笹を含む和紙は０．１ｄｔｅｘオーダー程の細さにフィブリル化した、吸湿性に優れた天然のセルロース繊維からなる極細のパルプ状の繊維がほぼランダムに配列して構成されていて、この和紙からなる糸を用いて編織物を作り、この編織物を布帛８として用いると、通常のスパン糸やフィラメント糸を用いた編織物に比べてもかさ高でかつ肌ざわりがよく、また、外陰部や乳房のようなデリケートな肌部分に直接接しても刺激が少ないのでかぶれの原因にもなりにくい。また、通常のスパン糸やフィラメント糸では繊維同士が撚りのみにより絡合しているので細い繊維では毛羽やピルが出やすいが、この和紙はフィブリル化した極細の繊維同士が水素結合により結合しているので、使用時に毛羽やピルが出にくい。さらに、このような和紙からなる糸を用いた編織物からなる布帛８をクロッチ部や乳房蔽い部に用いた本発明の衣料は、糸中のパルプ状のセルロース繊維が麻または笹にからみついて麻または笹を保持しており、麻または笹成分の洗濯による脱落は殆どなく。繰り返しの洗濯後も効果を維持できる。
【００２９】
麻または笹を含む和紙（以下、麻和紙または笹和紙とも称する）からなる糸は、麻または笹を叩解後和紙原料のパルプと混合して通常の和紙の製造におけると同様に漉くことによって製造される。あるいは、叩解された麻と叩解された笹を混漉して製造される。さらには、叩解された麻のみを漉いて製造してもよい。笹和紙中の叩解された笹の混合率は１〜１０重量％であることが好ましい。麻和紙中の叩解された麻の混合率は５〜１００重量％であることが好ましい。
【００３０】
麻和紙または笹和紙の目付は１０〜２０ｇ／ｍ２であることが好ましい。麻和紙または笹和紙はスリッターによりスリットされてスリット糸となる。スリット糸の幅は１〜５ｍｍ幅が好ましい。このスリット糸を好ましくは加撚して編織物用の糸となし、この糸を編成または製織して布帛８用の編織物が得られる。
【００３１】
スリット糸は単独で加撚して編織用の糸として用いることが好ましいが、他の糸条と交撚して用いてもよい。また、布帛８用の編織物は麻和紙または笹和紙を用いた糸と他の糸条とを交編または交織したものであってもよいが、麻和紙または笹和紙のみを用いて編織されたものであることがさらに好ましい。交編または交織の場合、布帛８用の編織物の少なくとも５０重量％以上がスリット糸で構成されることが好ましい。
【００３２】
本発明において用いられるこの編織物は低密度であることから形態安定性のうえで織物であることがさらに好ましい。なかでも、多重織の織物であることが低密度にもかかわらず麻または笹を多く含み、かつ形態安定性が良好であり、かつ構成糸の外気に曝される表面積を大きくすることができ、さらに好ましい。多重織としては２重あるいは３重織が好ましい。
【００３３】
本発明は、ショーツのみならず下着のように肌に接して着用され、股部構造あるいは乳房覆い構造を有して、クロッチ部あるいは乳房覆い部が着用者の肌に直接に触れる女性用衣料に好適に適用できる。このような女性用衣料には、クロッチ部を有するものとして下穿（ば）き、インナーウエアあるいはアンダーウエアなどとよばれる下着類があり、また、ショーツの他にパンティガードル等の種々のタイプがある。乳房覆い部を有するものとして、ブラジャー、ボディスーツ、ランジェリー、インナーウエアなどが例示される。
【実施例１】
【００３４】
クマザサの葉を０．５〜５ｍｍに細片化して水と混ぜ家庭用ミキサーで叩解したのち遠心脱水し、パルプ状のクマザサを得た。このパルプ状のクマザサを和紙用のパルプと混合し、抄紙して目付１５ｇ／ｍ２の笹和紙を得た。笹和紙中のクマザサの葉の含有率は１重量％であった。この笹和紙を約２ｍｍ幅にスリットして撚り数２００Ｔ／ｍで加撚して１／３２番手（３１２．５ｄｔｅｘ）の糸を得た。この糸を用いて上下２層からなる斜文（１／３）２重織組織の織物を製織した。接結部はたてよこ２６本おきに千鳥に配置した。各層の密度は、経糸密度１３．８本／ｃｍ、緯糸密度１３．０本／ｃｍであった。各層のカバーファクターは１１４７である。
【００３５】
得られた織物を通常の仕上げ工程に準じて仕上げて布帛８として図１に示す態様でクロッチ部に用いてショーツを作成した。クロッチ部を除く部分は市販のショーツ（綿編み地使い）の当該部分を用いた。
【実施例２】
【００３６】
亜麻（リネン）繊維を通常の和紙製造工程に準じて叩解してパルプ状のスラリーを得た。このスラリーを抄紙して目付１５ｇ／ｍ２の麻和紙を得た。この麻和紙から実施例１と同様にして得られた織物を通常の仕上げ工程に準じて仕上げて布帛８として図１に示す態様でクロッチ部に用いてショーツを作成した。クロッチ部を除く部分は市販のショーツ（綿編み地使い）の当該部分を用いた。
【実施例３】
【００３７】
クマザサの葉を０．５〜５ｍｍに細片化して水と混ぜ家庭用ミキサーで叩解したのち遠心脱水し、パルプ状のクマザサを得た。このパルプ状のクマザサを実施例２で得られた麻のスラリーと混合し、抄紙して目付１５ｇ／ｍ２の笹和紙を得た。笹和紙中のクマザサの葉の含有率は１重量％であった。この笹和紙から実施例１と同様にして得られた織物を通常の仕上げ工程に準じて仕上げて布帛８として図１に示す態様でクロッチ部に用いてショーツを作成した。クロッチ部を除く部分は市販のショーツ（綿編み地使い）の当該部分を用いた。
【実施例４】
【００３８】
実施例３で得た織物を通常の仕上げ工程に準じて仕上げてブラジャーの最内層の布として用い、１週間着用に供した。その間毎日１回の洗濯を行った。着用期間中、着用感はソフトな感触であり、かゆみ、臭いが感じられず着用感がきわめて爽快であった。
【００３９】
［比較例１］
実施例１で得られた笹和紙を約３ｍｍ幅にスリットして撚り数１８０Ｔ／ｍで加撚して１／２１番手の糸を得た。この糸を用いて綾（２／２）の織物を製織した。経糸密度２３本／ｃｍ、緯糸密度２３本／ｃｍであった。カバーファクターは２４３０である。
【００４０】
得られた織物を通常の仕上げ工程に準じて仕上げて布帛８として図１に示す態様でクロッチ部に用いてショーツを作成した。クロッチ部を除く部分は市販のショーツ（綿編み地使い）の当該部分を用いた。
【００４１】
［比較例２］
５〜５ｍｍに粉砕されたクマザサの葉１ｋｇを高圧釜で１８０℃の水蒸気で１０分間処理後に水４リットルを加えて１１０℃１０分間処理した処理液をろ過、減圧濃縮して加熱残分２０％のクマザサ抽出液を得た。
【００４２】
また、実施例１に用いた笹和紙使いの糸と同じ番手の綿糸（１／３２番手に相当）を用いて実施例１で得られた織物と同様の密度、組織の織物を製織した。
【００４３】
この織物をクマザサ抽出液の５重量％水溶液に含浸ししぼり率２００％にしぼって乾燥し、クマザサ抽出成分を担持した織物を得た。得られた織物を布帛８として図１に示す態様でクロッチ部に用いてショーツを作成した。クロッチ部を除く部分は市販のショーツ（綿編み地使い）の当該部分を用いた。
【００４４】
市販のショーツ（綿編み地使い）ならびに実施例、比較例で作成した各ショーツをそれぞれ１週間着用した着用感の結果を表１に示す。着用期間中毎日１回家庭用洗濯機で通常の方法で洗濯を行った。着用は各ショーツとも同一人が行った。
【００４５】
【表１】
2011231411.tif 000003
【００４６】
その他、本発明は、主旨を逸脱しない範囲で当業者の知識に基づき種々なる改良、修正、変更を加えた態様で実施できるものである。
【図面の簡単な説明】
【００４７】
【図１】本発明の衣料の態様の一例を示す斜視図である。
【図２】本発明の衣料のクロッチ部の断面模式図である。
【図３】本発明の衣料のクロッチ部の他の態様の断面模式図である。
【符号の説明】
【００４８】
２：衣料
４：クロッチ部
８：布帛
【図１】
2011231411.tif 000004
【図２】
2011231411.tif 000005
【図３】
2011231411.tif 000006